(57)【要約】【課題】便ふたと便器との位置関係、あるいは便座と便器との位置関係を常に使い勝手の良い状態に維持することができる便座装置を提供することを目的とする。【解決手段】ケーシングと、前記ケーシングに対して開閉自在に軸支された便ふたと、便座と、前記便ふたの開閉を検知する開閉検知手段と、前記便座およびケーシングの少なくともいずれかを前後に移動させる移動機構部と、便ふたが開いたことを前記開閉検知手段が検知すると前記移動機構部を動作させて前記便座を前方に移動させる制御を実行する制御部と、を備えたことを特徴とする便座装置を提供する。【選択図】図２
2011194143.tif 000002
【特許請求の範囲】
【請求項１】
ケーシングと、
前記ケーシングに対して開閉自在に軸支された便ふたと、
便座と、
前記便ふたの開閉を検知する開閉検知手段と、
前記便座および前記ケーシングの少なくともいずれかを前後に移動させる移動機構部と、
前記便ふたが開いたことを前記開閉検知手段が検知すると前記移動機構部を動作させて前記便座を前方に移動させる制御を実行する制御部と、
を備えたことを特徴とする便座装置。
【請求項２】
前記制御部は、前記便ふたが閉じたことを前記開閉検知手段が検知すると前記移動機構部を動作させて前記便座を後方に移動させる制御を実行することを特徴とする請求項１記載の便座装置。
【請求項３】
ケーシングと、
前記ケーシングに対して開閉自在に軸支された便ふたと、
便座と、
人体を検知する人体検知センサと、
前記便座および前記ケーシングの少なくともいずれかを前後に移動させる移動機構部と、
前記便座の前方にいる人体を前記人体検知センサが検知すると前記移動機構部を動作させて前記便座を前方に移動させる制御を実行する制御部と、
を備えたことを特徴とする便座装置。
【請求項４】
便ふたと、
便座と、
前記便ふたの開閉に応じて前記便座を前後に移動させる伝達機構部と、
を備えたことを特徴とする便座装置。
【発明の詳細な説明】
【技術分野】
【０００１】
本発明は、便座装置に関する。
【背景技術】
【０００２】
従来、便座と、便座を覆う便ふたと、便器と、の関係は、図１０に表したように、便ふたの先端と便器の先端とを合わせるか、図１１に表したように、便座の先端と便器の先端とを合わせるというものである。
【０００３】
また従来、便座を前後に移動させる装置を備えた便座洗浄装置がある。例えば、洋式トイレに前後方向移動可能なフリー便座を有する洋式トイレの便座自動洗浄装置がある（特許文献１）。また、便座を便器上の位置から後方へ水平に後退させるとともにその後退位置から便器上の位置へ前進復帰させるための牽引手段を備えた便座の自動洗浄装置がある（特許文献２）。これは便座を自動的に洗浄するための便座自動洗浄装置を提供するために提案されている。
【０００４】
しかしながら、従来の技術では、便ふたの先端と便器の先端とを合わせた場合、便座の位置は便器より一回り小さい関係となる。そのため、使用者が便座に座る際、使用者の足が便器に触れることで、不衛生であったり、冷たく感じ使い勝手が悪いという問題があった。  
一方、便座の先端と便器の先端とを合わせた場合、便ふたの位置は便器より一回り大きくなる。そのため、便ふたを閉じたときに外見の悪さが問題となったり、便器と便ふたとの間に段差があるため掃除をしにくいという問題があった。
【先行技術文献】
【特許文献】
【０００５】
【特許文献１】特開２００２−２０９７９７号公報
【特許文献２】登録実用新案第３０５３７８９号公報
【発明の概要】
【発明が解決しようとする課題】
【０００６】
本発明は、かかる課題の認識に基づいてなされたものであり、便ふたと便器との位置関係、あるいは便座と便器との位置関係を常に使い勝手の良い状態に維持することができる便座装置を提供することを目的とする。
【課題を解決するための手段】
【０００７】
第１の発明は、ケーシングと、前記ケーシングに対して開閉自在に軸支された便ふたと、便座と、前記便ふたの開閉を検知する開閉検知手段と、前記便座および前記ケーシングの少なくともいずれかを前後に移動させる移動機構部と、前記便ふたが開いたことを前記開閉検知手段が検知すると前記移動機構部を動作させて前記便座を前方に移動させる制御を実行する制御部と、を備えたことを特徴とする便座装置である。  
第１の発明によれば、便ふたと便器との位置関係、あるいは便座と便器との位置関係を常に使い勝手の良い状態に維持することが可能となる。
【０００８】
第２の発明は、第１の発明において、前記制御部は、前記便ふたが閉じたことを前記開閉検知手段が検知すると前記移動機構部を動作させて前記便座を後方に移動させる制御を実行することを特徴とする便座装置である。  
第２の発明によれば、便ふたと便器との位置関係、あるいは便座と便器との位置関係を常に使い勝手の良い状態に維持することが可能となる。
【０００９】
第３の発明は、ケーシングと、前記ケーシングに対して開閉自在に軸支された便ふたと、便座と、人体を検知する人体検知センサと、前記便座および前記ケーシングの少なくともいずれかを前後に移動させる移動機構部と、前記便座の前方にいる人体を前記人体検知センサが検知すると前記移動機構部を動作させて前記便座を前方に移動させる制御を実行する制御部と、を備えたことを特徴とする便座装置である。  
第３の発明によれば、便ふたと便器との位置関係、あるいは便座と便器との位置関係を常に使い勝手の良い状態に維持することが可能となる。また、人体検知センサの検知状況に基づいて便座を前後方向へ移動させることができるため、より早いタイミングで、便座を前方へ移動させることができる。そのため、使用者の足などが便器に触れることをより抑えることができる。
【００１０】
第４の発明は、便ふたと、便座と、前記便ふたの開閉に応じて前記便座を前後に移動させる伝達機構部と、を備えたことを特徴とする便座装置である。  
第４の発明によれば、便ふたの開閉と便座の前後移動とを伝達機構部で連動させることにより、便ふたと便器との位置関係、あるいは便座と便器との位置関係を常に使い勝手の良い状態に維持することが可能となる。また、より簡略化された構造により、便ふたと便器、便座と便器との位置関係を常に使い勝手の良い状態に維持することが可能となる。
【発明の効果】
【００１１】
本発明によれば、便ふたと便器との位置関係、あるいは便座と便器との位置関係を常に使い勝手の良い状態に維持することができる便座装置が提供される。
【図面の簡単な説明】
【００１２】
【図１】本発明の実施の形態にかかる便ふた閉状態での便座装置の平面模式図である。
【図２】本発明の実施の形態にかかる便ふた開状態での便座装置の平面模式図である。
【図３】本発明の他の実施の形態にかかる便ふた閉状態での便座装置の平面模式図である。
【図４】本発明の他の実施の形態にかかる便ふた開状態での便座装置の平面模式図である。
【図５】本発明のさらに他の実施の形態にかかる便ふた閉状態での便座装置の平面模式図である。
【図６】本発明のさらに他の実施の形態にかかる便ふた開状態での便座装置の平面模式図である。
【図７】本発明のさらに他の実施の形態にかかる便ふた閉状態での便座装置の平面模式図である。
【図８】本発明のさらに他の実施の形態にかかる便ふた開状態での便座装置の平面模式図である。
【図９】本発明のさらに他の実施の形態にかかる便座装置のヒンジ部拡大斜視図である。
【図１０】便ふたと便器との先端を合わせる従来の便座装置の構成を例示する平面模式図である。
【図１１】便座と便器との先端を合わせる従来の便座装置の他の構成を例示する平面模式図である。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、本発明の実施の形態にかかる便ふた閉状態での便座装置の平面模式図である。
【００１４】
図１に表したように、本発明の実施の形態にかかる便座装置は、洋式腰掛便器（以下説明の便宜上、単に「便器」と称する）１０の上に設けられ、ケーシング４０と、便ふた２０と、便座３０と、を備える。便ふた２０は、便ふたヒンジ回転軸２１においてケーシング４０に対して開閉自在に軸支されている。
【００１５】
本実施形態では、便ふた２０が閉じた状態において、便ふた２０の先端と、便器１０の先端と、は概略同じ位置に配置されている。一方、便座３０の先端は、便器１０の先端よりも後側に配置されている。
【００１６】
ケーシング４０の内部には、制御部５０と、便ふた２０の開閉を検知する開閉検知手段５１と、便座３０を前後方向に移動させることができる便座前後移動機構部（移動機構部）５２と、が設けられている。便座３０は、便座ヒンジ回転軸３１において便座前後移動機構部５２に対して開閉自在に軸支されている。便座ヒンジ回転軸３１は、便座前後移動機構部５２からみた便座３０の前後移動に伴い前後移動することができる。
【００１７】
便ふたヒンジ回転軸２１の近傍に設けられた開閉検知手段５１においては、制御部５０に信号を送信する接続がなされている。つまり、制御部５０は、開閉検知手段５１から送信された検知信号を受信することができる。そして、制御部５０は、開閉検知手段５１から送信された検知信号に基づいて便座前後移動機構部５２の動作を制御することができる。
【００１８】
図２は、本発明の実施の形態にかかる便ふた開状態での便座装置の平面模式図である。  図２に表したように、人が便座装置を使用するために、便ふた２０を開けると、便ふた２０の開閉を検知する開閉検知手段５１は、便ふた２０が開いたことを検知し、制御部５０に信号を伝える。そうすると、制御部５０は、開閉検知手段５１からの検知信号に基づいて便座前後移動機構部５２に便座３０を前方に動かす制御を行う。その結果、便座３０の先端は、便器１０の先端と概略同じ位置に移動配置される。よって、使用者が便座３０に座る際、使用者の足が便器１０に触れることがなく、便器１０の冷たさを感じることがなく、快適に使用できる。
【００１９】
人が便座装置を使用後、便ふた２０を閉じると、便ふたの開閉を検知する開閉検知手段５１は、便ふた２０の閉じ動作を検知し、制御部５０に信号を伝える。そうすると、制御部５０は、開閉検知手段５１からの検知信号に基づいて便座前後移動機構部５２に便座を後方に動かす制御を行う。その結果、便座３０の先端は、便器１０の先端よりも後側の位置に移動配置される。これにより、閉じられた便ふた２０の先端と、便座３０の先端と、が接触することを防ぐことができる。また、便ふた２０の先端と便器１０の先端とは概略同じ位置に配置される。
【００２０】
このように、本実施形態によれば、便ふた２０と便器１０との位置関係、あるいは便座３０と便器１０との位置関係を常に使い勝手の良い状態に維持することができる。
【００２１】
次に、本発明の他の実施の形態について、図面を参照しつつ説明する。  
図３は、本発明の他の実施の形態にかかる便ふた閉状態での便座装置の平面模式図である。
【００２２】
図３に表したように、本実施形態では、便ふた２０が閉じた状態において、便ふた２０の先端と、便器１０の先端と、が概略同じ位置に配置されている。一方、便座３０の先端は、便器１０の先端よりも後側に配置されている。
【００２３】
ケーシング４０の内部には、図１および図２に表した開閉検知手段５１の代わりに、便座３０の前方にいる使用者を検知する人体検知センサ５３が設けられている。  
便座３０は、便座ヒンジ回転軸３１において便座前後移動機構部５２に対して開閉自在に軸支されている。便座ヒンジ回転軸３１は、便座前後移動機構部５２からみた便座３０の前後移動に伴い前後移動することができる。
【００２４】
人体検知センサ５３においては、制御部５０に信号を送信する接続がなされている。つまり、制御部５０は、人体検知センサ５３から送信された検知信号を受信することができる。そして、制御部５０は、人体検知センサ５３から送信された検知信号に基づいて便座前後移動機構部５２の動作を制御することができる。
【００２５】
図４は、本発明の他の実施の形態にかかる便ふた開状態での便座装置の平面模式図である。  
図４に表したように、人が便座装置を使用するために、便ふた２０を開けると、人体検知センサ５３が人体を検知し、制御部５０に信号を伝える。そうすると、制御部５０は、人体検知センサ５３からの検知信号に基づいて便座前後移動機構部５２に便座３０を前方に動かす制御を行う。その結果、便座３０の先端は、便器１０の先端と概略同じ位置に移動配置される。よって、使用者が便座３０に座る際、使用者の足が便器１０に触れることがなく、便器１０の冷たさを感じることがなく、快適に使用できる。
【００２６】
人が便座装置を使用後、便ふた２０を閉じると、人体検知センサ５３は人体を非検知として制御部５０に信号を伝える。そうすると、制御部５０は、人体検知センサ５３からの検知信号に基づいて便座前後移動機構部５２に便座３０を後方に動かす制御を行う。その結果、便座３０の先端は、便器１０の先端よりも後側の位置に移動配置される。これにより、閉じられた便ふた２０の先端と、便座３０の先端と、が接触することを防ぐ。
【００２７】
なお、本実施形態では、便ふた２０を開閉可能な図示しない便ふた開閉駆動手段がケーシング４０の内部に設けられ、一方で、便ふた２０は、図示しない透過窓を有してしてもよい。これによれば、人体検知センサ５３は、便ふた２０が閉じた状態において、図示しない透過窓を介して便座３０の前方にいる使用者を検知することができる。制御部５０は、人体検知センサ５３からの検知信号に基づいて、図示しない便ふた開閉駆動手段に便ふた２０を開く制御を行う。これと同時あるいはこの後に、制御部５０は、便座前後移動機構部５２に便座３０を後方に動かす制御を行う。
【００２８】
これにおいても、便ふた２０と便器１０との位置関係、あるいは便座３０と便器１０との位置関係を常に使い勝手の良い状態に維持することができる。
【００２９】
次に、本発明のさらに他の実施の形態について、図面を参照しつつ説明する。  
図５は、本発明のさらに他の実施の形態にかかる便ふた閉状態での便座装置の平面模式図である。
【００３０】
図５に表したように、本実施形態では、便座装置全体を前後方向に移動させることができる便座装置前後移動機構部（移動機構部）５４がケーシング４０の内部に設けられている。また、便ふた２０および便座３０は、便ふたヒンジ回転軸２１および便座ヒンジ回転軸３１のそれぞれにおいて、ケーシング４０に対して開閉自在に軸支されている。これにより、便座装置前後移動機構部５４は、ケーシング４０と、ケーシング４０に軸支された便ふた２０および便座３０と、を前後方向に移動させることができる。
【００３１】
便ふたヒンジ回転軸２１の近傍に設けられた開閉検知手段５１においては、制御部５０に信号を送信する接続がなされている。これについては、図１に関して前述した開閉駆動手段５１と同様である。
【００３２】
図６は、本発明のさらに他の実施の形態にかかる便ふた開状態での便座装置の平面模式図である。  
図６に表したように、人が便座装置を使用するために、便ふた２０を開けると、便ふた２０の開閉を検知する開閉検知手段５１は、便ふた２０が開いたことを検知し、制御部５０に信号を伝える。そうすると、制御部５０は、開閉検知手段５１からの検知信号に基づいて便座装置前後移動機構部５４に便座装置を前方に動かす制御を行う。その結果、便座３０の先端は、便器１０の先端と概略同じ位置に移動配置される。よって、使用者が便座３０に座る際、使用者の足が便器１０に触れることがなく、便器１０の冷たさを感じることがなく、快適に使用できる。
【００３３】
人が便座装置を使用後、便ふた２０を閉じると、便ふたの開閉を検知する開閉検知手段５１は、便ふた２０の閉じ動作を検知し、制御部５０に信号を伝える。そうすると、制御部５０は、開閉検知手段５１からの検知信号に基づいて便座装置前後移動機構部５４に便座本体を後方に動かす制御を行う。その結果、便座３０の先端は、便器１０の先端よりも後側の位置に移動配置される。これにより、便ふた２０の先端と便器１０の先端とは概略同じ位置に配置される。
【００３４】
次に、本発明のさらに他の実施の形態について、図面を参照しつつ説明する。  
図７は、本発明のさらに他の実施の形態にかかる便ふた閉状態での便座装置の平面模式図である。
【００３５】
図７に表したように、本実施形態では、便座リンク構造体６０と、便ふたリンク軸６１と、便座リンク軸６２と、を有する伝達機構部が設けられている。便ふた２０は、便ふたリンク軸６１で便座リンク構造体６０と繋がり、便座３０は、便座リンク軸６２で便ふた便座リンク構造体６０と繋がっている。つまり、便ふた２０と便座３０とは、便ふたリンク軸６１と、便座リンク構造体６０と、便座リンク軸６２と、を介して接続されている。便座３０は、便座ヒンジ回転軸３１がスライド可能な便座前後移動溝３２を有する。便ふた２０が閉じた状態では、便座ヒンジ回転軸３１と便座前後移動溝３２との間の位置関係は、便座３０の先端が便器１０の先端よりも後側に配置される位置関係になる。
【００３６】
便ふた２０が閉じた状態において、便ふた２０の先端と、便器１０の先端と、は概略同じ位置に配置されている。一方、便座３０の先端は、便器１０の先端よりも後側に配置されている。
【００３７】
図８は、本発明のさらに他の実施の形態にかかる便ふた開状態での便座装置の平面模式図である。  
図８に表したように、人が便座装置を使用するために、便ふた２０を開けると、便ふた２０は便ふたヒンジ回転軸２１を中心に回転する。そうすると、便ふたリンク軸６１の位置が変化することで、便座リンク構造体６０を介して便座リンク軸６２は、前方へ移動する。これに伴い、便座前後移動溝３２は、便座ヒンジ回転軸３１からみて前方に移動する。これにより、便座３０は、前方へ移動することができる。その結果、便座３０の先端は、便器１０の先端と概略同じ位置に移動配置される。よって、使用者が便座３０に座る際、使用者の足が便器１０に触れることがなく、便器１０の冷たさを感じることがなく、快適に使用できる。
【００３８】
人が便座装置を使用後、便ふた２０を閉じると、便座リンク構造体６０が開ける際と逆の動作を行う。  
人が便座装置を使用後に、便ふた２０を閉じると、便ふた２０は便ふたヒンジ回転軸２１を中心に回転する。そうすると、便ふたリンク軸６１の位置が変化することで、便座リンク構造体６０を介して便座リンク軸６２は、後方へ移動する。これに伴い、便座前後移動溝３２は、便座ヒンジ回転軸３１からみて後方に移動する。これにより、便座３０は、後方へ移動することができる。その結果、便座３０の先端は、便器１０の先端よりも後側の位置に移動し、便ふた２０の先端と便器１０の先端とが概略同じ位置に配置される。
【００３９】
次に、本発明のさらに他の実施の形態について、図面を参照しつつ説明する。  
図９は、本発明のさらに他の実施の形態にかかる便座装置のヒンジ部拡大斜視図である。  
なお、図９は、便座および便ふたを分解して眺めた分解模式図である。
【００４０】
図９に表したように、本実施形態の便ふた２０には、便ふたヒンジ歯車２２が付設されている。また、本実施形態の便座３０は、図７および図８に関して前述した便座と同様に、便座前後移動溝３２を有する。便座前後移動溝３２に内面には、便座ヒンジ直線状歯車３３が設けられている。便ふたヒンジ歯車２２と便座ヒンジ直線状歯車３３とが互いに噛み合った状態において、便ふた２０は、便ふたヒンジ回転軸２１においてケーシング４０に対して開閉自在に軸支されている。つまり、本実施形態では、便ふたヒンジ歯車２２と、便座ヒンジ直線状歯車３３と、を有する伝達機構部が設けられている。
【００４１】
人が便座装置を使用するために便ふた２０を開けると、便ふた２０は便ふたヒンジ回転軸２１を中心に回転する。そうすると、便ふたヒンジ歯車２２は、便ふた２０に付設されているため、便ふた２０の回転に伴って回転する。便ふたヒンジ歯車２２と便座ヒンジ直線状歯車３３とは、互いに噛み合っている。これにより、便ふたヒンジ歯車２２の回転は、便座ヒンジ直線状歯車３３に伝達され、便座ヒンジ直線状歯車３３は、前方へ移動する。これにより、便座３０は前方へ移動することができる。その結果、便座３０の先端は、便器１０の先端と概略同じ位置に移動配置される。よって、使用者が便座３０に座る際、使用者の足が便器１０に触れることがなく、便器１０の冷たさを感じることがなく、快適に使用できる。
【００４２】
人が便座装置を使用後、便ふた２０を閉じると、便座ヒンジ直線状歯車３３が開ける際と逆の動作を行う。  
人が便座装置を使用後に、便ふた２０を閉じると、便ふた２０は便ふたヒンジ回転軸２１を中心に回転する。そうすると、便ふたヒンジ歯車２２は、便ふた２０の回転に伴って回転する。便ふたヒンジ歯車２２の回転は、便座ヒンジ直線状歯車３３に伝達され、便座ヒンジ直線状歯車３３は、後方へ移動する。これにより、便座３０は、後方へ移動することができる。その結果、便座３０の先端は、便器１０の先端よりも後側の位置に移動し、便ふた２０の先端と便器１０の先端とが概略同じ位置に配置される。
【００４３】
以上説明したように、本発明の実施の形態によれば、便ふたの開閉を検知する開閉検知手段や、人体を検知する人体検知センサなどの検知信号に基づいて、制御部は、便座前後移動機構部５２の動作を制御し、便座３０を前後方向に移動させることができる。あるいは、伝達機構部が設けられ、その伝達機構部は、便ふたの開閉に応じて便座３０を前後方向に移動させることができる。これによれば、閉じられた便ふた２０の先端と、便座３０の先端と、が接触することを防ぐことができる。また、便ふた２０の先端と便器１０の先端とは概略同じ位置に配置される。そのため、便ふた２０と便器１０との位置関係、あるいは便座３０と便器１０との位置関係を常に使い勝手の良い状態に維持することができる。
【００４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座装置などが備える各要素の形状、寸法、材質、配置などや便座前後移動機構部５２や便座装置前後移動機構部５４や伝達機構部の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４５】
１０…便器、  ２０…便ふた、  ２１…便ふたヒンジ回転軸、  ２２…便ふたヒンジ歯車、  ３０…便座、  ３１…便座ヒンジ回転軸、  ３２…便座前後可動溝、  ３３…便座ヒンジ直線状歯車、  ４０…ケーシング、  ５０…制御部、  ５１…開閉検知手段、  ５２…便座前後移動機構部、  ５３…人体検知センサ、  ５４…便座装置前後移動機構部、  ６０…便ふた便座リンク構造体、  ６１…便ふたリンク軸、  ６２…便座リンク軸
【図１】
2011194143.tif 000003
【図２】
2011194143.tif 000004
【図３】
2011194143.tif 000005
【図４】
2011194143.tif 000006
【図５】
2011194143.tif 000007
【図６】
2011194143.tif 000008
【図７】
2011194143.tif 000009
【図８】
2011194143.tif 000010
【図９】
2011194143.tif 000011
【図１０】
2011194143.tif 000012
【図１１】
2011194143.tif 000013